(57)【要約】【課題】手織機本体を利用して整経し、製織準備作業を効率的に行う。【解決手段】左側枠材１１と右側枠材１２と、それら左右の枠材の前方部分の間に架け渡される糸巻桿１３と、それら左右の枠材の後方部分の間に架け渡される布巻桿１４によって矩形状に手織機本体が構成され、糸巻桿と布巻桿の間に綜絖１５を配置して構成される手織機において、その左右の枠材１１・１２の各外側側面に、布巻桿側（１４）から糸巻桿側（１３）に向かう手織機の長さ方向Ｌに所要の間隔をもって複数個の嵌込孔１６を設け、その嵌込孔に差し込んだ軸材等２８に経糸１７を引っ掛けて左右の枠材間にジグザグに張設して所要長さの糸束を形成し、その糸束を解いて糸巻桿と布巻桿の間に張設する。【選択図】図４
2005036347.tif 000002
【特許請求の範囲】
【請求項１】
（ａ）  左側枠材と右側枠材と、それら左右の枠材の前方部分の間に架け渡される糸巻桿と、それら左右の枠材の後方部分の間に架け渡される布巻桿によって手織機本体が構成され、糸巻桿と布巻桿の間に綜絖を配置して構成される手織機において、（ｂ）  それら左右の枠材の各外側側面に、布巻桿側から糸巻桿側に向かう手織機の長さ方向に所要の間隔をもって複数個の治具嵌込孔が設けられている手織機。
【請求項２】
（ａ）  左側枠材と右側枠材と、それら左右の枠材の前方部分の間に架け渡される糸巻桿と、それら左右の枠材の後方部分の間に架け渡される布巻桿によって手織機本体が構成され、その糸巻桿と布巻桿の間に綜絖を配置して構成される手織機において、（ｃ）  その糸巻桿と綜絖の間において、糸巻桿から綜絖へと導き出される経糸を案内する案内桿が、左右の枠材の間に架け渡されており、経糸を通過させる多数の糸嵌込隙間が、左右の枠材が向かい合う手織機の幅方向所要の間隔をもって案内桿に設けられている手織機。
【請求項３】
（ａ）  左側枠材と右側枠材と、それら左右の枠材の前方部分の間に架け渡される糸巻桿と、それら左右の枠材の後方部分の間に架け渡される布巻桿によって手織機本体が構成され、糸巻桿と布巻桿の間に綜絖を配置して構成される手織機において、（ｄ）  それらの糸巻桿と布巻桿に、それぞれを長さ方向に沿って２分割して続く糸挿通隙間が形成されており、（ｅ）  向き合う二つの舌片と舌片の間が折れ曲がってＵ字形断面を成す溝形楔材が、それらの糸巻桿と布巻桿の糸挿通隙間にそれぞれ嵌め込まれ、その溝形楔材の向き合う二つの舌片と舌片が、その糸挿通隙間において向き合ってそれぞれ糸巻桿と布巻桿の長さ方向に続く内壁面と内壁面にそれぞれ密着しており、（ｆ）  その溝形楔材の向き合う一方の舌片の端縁に、その向き合う他方の舌片側へと突き出た多数の突起が、手織機の幅方向に所要の間隔をもって設けられている手織機。
【発明の詳細な説明】
【技術分野】
【０００１】
本発明は、教育手段、肢体訓練手段、痴呆防止手段、手芸手段、玩具等として机上に置いて使用される手織機に関するものである。
【背景技術】
【０００２】
織物の量産手段としての自動織機を、その具備する自動装置を取り外して小型化し、児童や高齢者等の素人にも手軽に扱えるように工夫の施された種々の手織機は公知である（例えば、特許文献１参照）。その工夫として、手織機を整経機に兼用し得るように、手織機本体の左右に係止桿を多数垂直に突設し、その係止桿に経糸を左右ジグザグに引っ掛けて所要長の糸束とし、その糸束を糸巻桿に巻き取って整経すること、又、その経糸を糸巻桿から布巻桿に引き出して手織機に張設する過程において、経糸配列面を櫛歯で撫でて経糸の配列間隔を揃えること、或いは、押さえ板との間で経糸の端末を把持して布巻桿に固定することも公知である（例えば、特許文献２と３と４参照）。
【特許文献１】特開２００１−１８１９４３号公報（特許請求の範囲）
【特許文献２】特開２００３−３３４８号公報（図１〜図１９）
【特許文献３】特開２００３−３３４７号公報（図１〜図１４）
【特許文献４】特開２００２−３６３８４０号公報（図１〜図２０）
【発明の開示】
【発明が解決しようとする課題】
【０００３】
直立した係止桿に経糸を引っ掛けて所要長の糸束にする場合、その係止桿の根元には係止桿の長さに比例するモーメントが、その引っ掛けた経糸から作用し、そのモーメントが、係止桿に引っ掛ける経糸の本数に比例して増えるので、その係止桿の根元にガタツキが生じ易く壊れ易くなる。又、経糸配列面を櫛歯で撫でて経糸間隔を揃える場合には、片手で経糸間の縺を直しつつ、他の片手で櫛歯を動かすことになるが、その作業中に櫛歯から経糸が抜け外れることが多く、その外れた経糸を櫛歯にセットし直さなければならず、その作業に手間取る。そして、押さえ板と布巻桿の間に挟んで多数の経糸の端末を一括して把持しようとしても、そのような端末は多数本絡み合い縺れ易く、その一本一本の経糸に把持力を均等に作用させることは難しく、糸巻桿と布巻桿に張設される経糸間にテンションのバラツキが生じ易い。
本発明は、これらの不都合を解消し、手織機本体を利用して整経し、製織準備作業を効率的に行うことが出来るようにすることを目的とする。
【課題を解決するための手段】
【０００４】
本発明に係る手織機は、（ａ）  左側枠材１１と右側枠材１２と、それら左右の枠材の前方部分の間に架け渡される糸巻桿１３と、それら左右の枠材の後方部分の間に架け渡される布巻桿１４によって矩形状に手織機本体が構成され、糸巻桿１３と布巻桿１４の間に綜絖１５を配置して構成され、（ｂ）  左右の枠材１１・１２の各外側側面に、布巻桿側（１４）から糸巻桿側（１３）に向かう手織機の長さ方向Ｌに所要の間隔をもって複数個の治具嵌込孔１６が設けられていることを第１の特徴とする。
【０００５】
本発明に係る手織機の第２の特徴は、（ａ）  左側枠材１１と右側枠材１２と、それら左右の枠材の前方部分の間に架け渡される糸巻桿１３と、それら左右の枠材の後方部分の間に架け渡される布巻桿１４によって矩形状に手織機本体が構成され、糸巻桿１３と布巻桿１４の間に綜絖１５を配置して構成され、（ｃ）  糸巻桿１３と綜絖１５の間において、糸巻桿から綜絖へと導き出される経糸１７を案内する案内桿１８が、左右の枠材１１・１２の間に架け渡されており、経糸１７を通過させる多数の糸嵌込隙間１９が、左右の枠材１１・１２が向かい合う手織機の幅方向Ｗに所要の間隔をもって案内桿１８に設けられている点にある。
【０００６】
本発明に係る手織機の第３の特徴は、（ａ）  左側枠材１１と右側枠材１２と、それら左右の枠材の前方部分の間に架け渡される糸巻桿１３と、それら左右の枠材の後方部分の間に架け渡される布巻桿１４によって矩形状に手織機本体が構成され、糸巻桿１３と布巻桿１４の間に綜絖１５を配置して構成され、（ｄ）  それらの糸巻桿１３と布巻桿１４に、それぞれを長さ方向に沿って２分割して続く糸挿通隙間２０が形成されており、（ｅ）  向き合う二つの舌片２３と舌片２４の間が折れ曲がってＵ字形断面を成す溝形楔材２５が、糸巻桿１３と布巻桿１４の糸挿通隙間２０にそれぞれ嵌め込まれ、その溝形楔材２５の向き合う二つの舌片２３と舌片２４が、糸挿通隙間２０において向き合ってそれぞれ糸巻桿１３と布巻桿１４の長さ方向に続く内壁面２１と内壁面２２にそれぞれ密着しており、（ｆ）  その溝形楔材２５の向き合う一方の舌片２４の端縁２６に、その向き合う他方の舌片側へと突き出た多数の突起２７が、手織機の幅方向Ｗに所要の間隔をもって設けられている点にある。
【発明の効果】
【０００７】
本発明によると、枠材間１１・１２にジグザグに架け渡される経糸１７のテンションの作用方向と嵌込孔１６の中心線が平行になるので、経糸１７のテンションに起因するモーメントが嵌込孔１６に直接作用せず、経糸１７のテンションによって軸材等２８が撓んで経糸１７が外れる危険も、又、経糸１７のテンションによって嵌込孔１６にガタツキが生じることもなく、仮に、ガタツキが生じたとしても嵌込孔１６から軸材等２８が経糸１７のテンションによって外れ易くなることもない。そして、経糸１７は、枠材１１・１２の角で９０度折り曲げられて軸材等２８に引っ掛けられるので、軸材等２８を枠材１１・１２の側面の外側に長く突き出す必要もなく、その軸材等２８に身体が触れて製織準備作業が妨げられることもない。特に、嵌込孔１６を貫通孔にする場合には、そこに鈎桿３６を差し込んで経糸１７ａを一定のテンションで糸巻桿１３に巻き取ることが出来るだけではなく、その嵌込孔１６にＳ字形フック（３１）を引っ掛けて枠材間１１・１２に突き出し、そのＳ字形フック（３１）を引っ掛けて枠材間１１・１２の内側にジグザグに経糸１７を架け渡すことも出来、そのＳ字形フック（３１）に身体が触れて製織準備作業の妨げとなることはない。
【０００８】
本発明によると、案内桿１８は、整経時に経糸の配列間隔を揃えるために使用されるが、製織時には、その案内桿１８によって経糸１７が配列間隔を揃えて糸巻桿１３から綜絖１５へと引き出されるので、経糸１７が平行に揃った開口が形成され、Ｃ字形綜目が先端に設けられた多数の綜絖桿が櫛歯状に平行に基材から突き出た櫛歯形の一枚の綜絖１５を使用し、経糸１７を、そのＣ字形綜目に通されて綜絖１５に昇降操作される経糸と、そのＣ字形綜目に通されず綜絖１５に昇降操作されない経糸との２群に分けて開口を形成する過程において、誤って綜絖１５に昇降操作されない他の経糸間に綜絖桿が入り込む危険がなく、却って、綜絖１５に昇降操作されない異なる経糸から綜絖１５が離れた下口開口を形成した後、綜絖１５に昇降操作されない異なる経糸間に意図的に選択的に綜絖１５を差し込んで上口開口を形成することによって搦み織組織を形成することも容易になる。
【０００９】
本発明によると、手織機に張設された経糸１７のテンションが糸挿通隙間２０の深さ方向と溝形楔材２５の高さ方向のそれぞれに直交する方向に作用するので、経糸１７のテンションによって溝形楔材２５が糸挿通隙間２０から抜け出して糸巻桿１３から外れることはない。そして、布巻桿１４にも、糸巻桿１３と同様に、糸挿通隙間２０と溝形楔材２５を設けるときは、経糸の折返端末３０を糸挿通隙間２０に溝形楔材２５と一緒に嵌め込み、その糸挿通隙間の内壁面２１・２２と溝形楔材の舌片２３・２４との間で経糸端末３０を把持することが出来、その把持した経糸１７に弛みがあるときは、経糸１７を布巻桿１４から外すことなく、溝形楔材２５によって糸挿通隙間２０から押し出された経糸端末３０を引っ張って経糸１７のテンションを揃えることも可能になり、従って、経糸１７を溝形楔材２５によって布巻桿１４に仮止めしてテンションを一定に揃える上で好都合である。
【発明を実施するための最良の形態】
【００１０】
治具嵌込孔１６にはＳ形鉤材や軸材等２８が差し込んで取り付けられ、その取り付けられた軸材等２８に引っ掛けて左右の枠材間１１・１２にジグザグに経糸１７を繰り返し架け渡し、所要長さの経糸１７の糸束とする。そのジグザグに続く経糸の一端２９は糸巻桿１３の突起２７に引っ掛けて折り返し、その他端３０は左右何れか片側の枠材の後端側に取り付けた軸材等２８ｂに引っ掛けて折り返す。案内桿１８は、糸巻桿１３から綜絖１５へと導き出される経糸１７が、その間で通る経路に糸嵌込隙間１９が位置するように枠材間１１・１２に架け渡す。
【００１１】
経糸をジグザグに枠材間に架け渡す過程において、糸巻桿１３の突起２７に引っ掛けた経糸１７は、案内桿１８の糸嵌込隙間１９に嵌め込んで軽く係止し、その糸嵌込隙間１９から左右何れか片側の枠材の先端側の軸材等（２８ａ）へと導き出して引っ掛け、その後は順次、その引っ掛けた枠材に向き合う他の片側の枠材の軸材等２８に引っ掛け、最後に、左右何れか片側の枠材の後端側に取り付けた軸材等２８ｂに引っ掛けて折り返し、枠材の先端側の軸材等２８ａから後端側の軸材等２８ｂへとジグザグに続く所要長さの経糸糸束（１７）とする。枠材の先端側の軸材等（２８ａ）と糸巻桿１３の間では、糸巻桿１３の左右何れか片側の突起２７に経糸１７を引っ掛け、その突起２７と同じ片側の糸嵌込隙間１９に係止して先端側の軸材等（２８ａ）へと経糸１７を導き、又、先端側の軸材等（２８ａ）から片側の糸嵌込隙間１９に係止して片側の突起２７へと経糸１７を導いて引っ掛け、後端側の軸材等２８ｂと案内桿１８の間で経糸１７をジグザグに往復させる度に、片側の糸嵌込隙間１９から他の片側の糸嵌込隙間１９へ、又、片側の突起２７から他の片側の突起２７へと、順次隣合う突起２７と糸嵌込隙間１９に引っ掛け或いは係止し、糸巻桿１３の全ての突起２７と案内桿１８の全ての糸嵌込隙間１９に経糸１７が係止されるようにする（図３）。
【００１２】
そのようにして、本体の片側から始めて他の片側へと順次糸巻桿１３の突起２７と案内桿１８の糸嵌込隙間１９に係止されて枠材間にジグザグに経糸１７を架け渡した後、枠材１１・１２から軸材等２８を１個取り外す度に、その取り外して生じる経糸の弛み分を糸巻桿１３に巻き取る。その場合、軸材等２８から外して生じる弛みによって経糸１７が縺れないように、その外した経糸１７ａをフック３１に引っ掛けて軽く緊張し、フック３１と共に向き合う枠材側へと外した経糸１７ａを移動しつつ糸巻桿１３を回して巻き取るとよい（図４）。ジグザグに架け渡した経糸が折り返される後端側の軸材等２８ｂからは最後に経糸１７を取り外す（図５）。その取り外した各経糸の折返端末３０を引っ張って経糸を略平行に揃え、その各経糸の折返端末３０を布巻桿１４に係止する。そのためには、布巻桿１４にも、糸巻桿１３と同様に、糸挿通隙間２０と溝形楔材２５を設け、各経糸の折返端末３０を糸挿通隙間２０に溝形楔材２５と一緒に嵌め込み、その糸挿通隙間の内壁面２１・２２と溝形楔材の舌片２３・２４との間で経糸端末３０を把持する（図６）。
【００１３】
案内桿１８は、布巻桿１４に接近した左右の枠材の後方部分の間にも架け渡して設けるとよい。そのように枠材１１・１２の前方部分の後方部分の双方に案内桿１８・１８を設けると、糸巻桿１３と布巻桿１４の間に張設された経糸１７を、糸巻桿側の案内桿の糸嵌込隙間１９に位置を合わせて、布巻桿側の案内桿の糸嵌込隙間１９に嵌め込み直すと、それら前後の案内桿１８・１８の間で経糸１７が縺れることなく平行に揃い、その張設された経糸の配列面３９を経糸に沿って綜絖の先端や筬羽の先端で撫でるようにして、綜絖１５や筬３２に配列面３９の経糸間にセットすることが出来る。そのためには、筬３２には、多数の筬羽が櫛歯状に平行に基材から突き出た櫛歯形筬を用い、又、綜絖１５にも、同様に、経糸を差し込む切欠溝のあるＣ字形綜目が先端に設けられた多数の綜絖桿が櫛歯状に平行に基材から突き出た櫛歯形綜絖を用いるとよい。案内桿１８の隣合う糸嵌込隙間１９・１９の間を仕切る凸部（図１）は、嵌め込んだ経糸１７を糸嵌込隙間１９から外れ難くするために、鈎状突起にするとよい。
【００１４】
糸巻桿１３と布巻桿１４の糸挿通隙間２０を貫通した底無溝にすると、その糸挿通隙間２０に糸端を差し込んで仮係止する上で好都合である。そのように貫通した底無溝を構成している糸挿通隙間２０では、そこに嵌め込まれる溝形楔材２５によって隙間幅が押し広げられないように、その片側（溝底側）の向き合う内壁面２１と内壁面２２の間をスパン３３によって部分的に連結しておくとよい。溝形楔材２５には、それを糸挿通隙間２０に深く押し込み過ぎないようにするため、経糸を引っ掛ける舌片２４とは逆向きとなる突起３４を端縁２６の外側にも設け、その突起３４が溝縁３５に当たって溝形楔材２５が止まるようにする。
【００１５】
枠材１１・１２に設ける嵌込孔１６は貫通孔にするとよい。そのように嵌込孔１６を貫通孔とすると、その嵌込孔１６に鈎桿３６を差し込み、その突き出た鈎桿３６の先端のフック３１に、軸材等２８から外された経糸１７ａを引っ掛けて軽く緊張し、フック３１と共に向き合う枠材側へと外した経糸１７ａを移動しつつ糸巻桿１３を回し、その外された経糸１７ａの弛み代を一定のテンションで糸巻桿１３に巻き取ることが出来るので好都合である。糸巻桿１３と布巻桿１４には、ラチェットやワンウエイ（一方向）クラッチ等を内蔵したハンドル３７・３８が適宜取り付けられる。
【図面の簡単な説明】
【００１６】
【図１】本発明に係る手織機の案内桿の要部斜視図である。
【図２】本発明に係る手織機の糸巻桿の要部斜視図である。
【図３】本発明に係る手織機の本体の斜視図である。
【図４】本発明に係る手織機の本体の斜視図である。
【図５】本発明に係る手織機の本体の斜視図である。
【図６】本発明に係る手織機の斜視図である。
【符号の説明】
【００１７】
１１・１２：枠材
１３：糸巻桿
１４：布巻桿
１５：綜絖
１６：嵌込孔
１７：経糸
１８：案内桿
１９：糸嵌込隙間
２０：糸挿通隙間
２１・２２：内壁面
２３・２４：舌片
２５：溝形楔材
２６：端縁
２７：突起
２８：軸材等
２９：経糸の一端
３０：経糸の他端（端末）
３１：フック
３２：筬
３３：スパン
３４：突起
３５：溝縁
３６：鈎桿
３７・３８：ハンドル
３９：経糸の配列面
Ｌ：手織機の長さ方向
Ｗ：手織機の幅方向
【図１】
2005036347.tif 000003
【図２】
2005036347.tif 000004
【図３】
2005036347.tif 000005
【図４】
2005036347.tif 000006
【図５】
2005036347.tif 000007
【図６】
2005036347.tif 000008